(57)【特許請求の範囲】
【請求項１】
複数の植栽ブロックからなる植栽ブロック壁であって、
前記植栽ブロックは、
内部が貯水空洞とされたブロック本体と、
前記ブロック本体に形成された少なくとも１つの植栽部と、
前記ブロック本体の貯水空洞から前記ブロック本体の植栽部へ水を供給する供給部と、
を有し、
上下及び左右の少なくとも一方の方向に隣接する植栽ブロック間においてそれらの貯水空洞同士を連通させる水路を少なくとも１つ有することを特徴とする植栽ブロック壁。
【請求項２】
請求項１に記載の植栽ブロック壁であって、
前記水路として、左右方向に隣接する植栽ブロック間においてそれらの貯水空洞同士を連通させる横水路が形成されたことを特徴とする植栽ブロック壁。
【請求項３】
請求項１に記載の植栽ブロック壁であって、
前記水路として、上下方向に隣接する植栽ブロック間においてそれらの貯水空洞同士を連通させる縦水路が形成されたことを特徴とする植栽ブロック壁。
【請求項４】
請求項２に記載の植栽ブロック壁であって、
前記横水路は、左右方向に隣接する植栽ブロック間において貯水空洞の下部を連通させていることを特徴とする植栽ブロック壁。
【請求項５】
請求項３に記載の植栽ブロック壁であって、
前記縦水路は、上側の植栽ブロックの貯水空洞の上部と下側の植栽ブロックの貯水空洞とを連通させていることを特徴とする植栽ブロック壁。
【請求項６】
植栽ブロック壁を構成する植栽ブロックであって、
内部が貯水空洞とされたブロック本体と、
前記ブロック本体に形成された少なくとも１つの植栽部と、
前記ブロック本体の貯水空洞から前記ブロック本体の植栽部へ水を供給する供給部と、
を含み、
前記ブロック本体には、それが有する貯水空洞と、それに隣接する他の植栽ブロックの貯水空洞とを連通させるための開口部が形成されたことを特徴とする植栽ブロック。
【発明の詳細な説明】
【０００１】
【発明の属する技術分野】
本発明は植栽ブロック壁及び植栽ブロックに関し、内部が貯水空洞とされた植栽ブロックにおける、各植栽ブロックの貯水空洞同士の水の分配に関する。
【０００２】
【従来の技術】
一般的な植栽ブロックは、その前面側に植栽用の多段ステージやポットが設けられ、そこに土が入れられ植物が植えられる。植栽ブロックは、コンクリートブロックであり、複数の植栽ブロックを段積されてブロック擁壁が構成され、例えば道路や河川などの地山法面を保護するために利用されている。
【０００３】
植栽される植物には、定常的に水を与えることが必要である。そこで、雨水や地下水を定常的に供給可能な植栽ブロックが種々提案されている。例えば、特許第３１１５５６０号（特開２０００−１７８９８７公報）には、雨水や地下水を定常的に供給可能な植栽ブロックが開示されている。
【０００４】
上記特許第３１１５５６０号公報には、植栽ブロックにおいて、内部が貯水空洞とされたブロック本体が開示され、ブロック本体の前面側に複数の植栽ステージが形成されて、同じく前面側に多孔質部材からなる排水部が形成されている。
【０００５】
また、前面側の上部には水抜口が設けられ、この水抜口は、貯水空洞が満水になった場合に、貯水空洞内の水を外部へ流出し、水抜口が設けられた植栽ステージに貯まった雨水を貯水空洞に取り込むためものとして機能する。
【０００６】
このように構成された植栽ブロックは、貯水空洞に外部の雨水や地下水等が蓄えられ、貯水空洞の水は排水部から徐々に滲み出て植栽ステージに流出し、更に下段側の植栽ブロックの植栽ステージに供給されるようになっている。これにより、貯水空洞に雨水や地下水を蓄えて植栽ステージに水を定常的に供給することができる。
【０００７】
【発明が解決しようとする課題】
上述した先行技術の植栽ブロックにおいては、基本的に各植栽ブロックに設けられた取水部から雨水や地下水を取り入れ、各植栽ブロック毎にそれが有する貯水空洞に貯水しなければならない。地山法面に複数の植栽ブロックにより植栽ブロック壁が構成された状態において、例えば植栽ブロックが配置された位置によっては、十分な水を取り入れ、貯水できない可能性がある。その結果、十分な貯水ができない植栽ブロックは、植栽ステージへ水の供給ができず植栽土の水分が不足し、植物にダメージを及ぼしてしまう。
【０００８】
また、上述した先行技術の植栽ブロックの前面壁の上部には、水抜口が設けられている。この水抜口により、植栽ブロックの貯水空洞のオーバーフロー水を前面側へ流出させ、植栽ステージに水を供給することもできるが、この水抜口からの水の供給は、下段側の植栽ステージに限られ、植栽ステージ全体に必ずしも十分な水を供給することができるとは限らない。また、水抜口からの植栽ステージの土砂が流入し、貯水空洞の貯水量が減少するといった問題も懸念されている。
【０００９】
そこで本発明は、上記課題を解決するためになされたもので、内部が貯水空洞とされた植栽ブロックにおける、各植栽ブロックの貯水空洞の貯水を植栽ブロック間で分配可能な植栽ブロック壁及び植栽ブロックを提供することを目的とする。
【００１０】
【課題を解決するための手段】
本発明の植栽ブロック壁は、複数の植栽ブロックからなる植栽ブロック壁であって、前記植栽ブロックは、内部が貯水空洞とされたブロック本体と、前記ブロック本体に形成された少なくとも１つの植栽部と、前記ブロック本体の貯水空洞から前記ブロック本体の植栽部へ水を供給する供給部と、を有し、上下及び左右の少なくとも一方の方向に隣接する植栽ブロック間においてそれらの貯水空洞同士を連通させる水路を少なくとも１つ有することを特徴とする。
【００１１】
この構成によれば、隣接する植栽ブロックの貯水空洞同士を連通させるので、貯水空洞同士の貯水の直接的な供給が可能になる。
【００１２】
また、本発明の植栽ブロック壁は、前記水路として、左右方向に隣接する植栽ブロック間においてそれらの貯水空洞同士を連通させる横水路が形成されたことを特徴とする。
【００１３】
この構成によれば、左右方向に隣接する植栽ブロックの貯水水位が異なったとしても、水位の調整を図ることができる。
【００１４】
更に、本発明の植栽ブロック壁は、前記水路として、上下方向に隣接する植栽ブロック間においてそれらの貯水空洞同士を連通させる縦水路が形成されたことを特徴とする。
【００１５】
この構成によれば、上側の植栽ブロックの貯水空洞の貯水を下側の植栽ブロックの貯水空洞へ分配することができる。
【００１６】
更に、本発明の植栽ブロック壁の横水路は、左右方向に隣接する植栽ブロック間において貯水空洞の下部を連通させていることを特徴とする。
【００１７】
この構成によれば、貯水空洞の下部が連通されるので、左右方向に隣接する植栽ブロック間の貯水空洞の貯水の均等化を図ることができる。
【００１８】
更に、本発明の植栽ブロック壁の縦水路は、上側の植栽ブロックの貯水空洞の上部と下側の植栽ブロックの貯水空洞とを連通させていることを特徴とする。
【００１９】
この構成によれば、上側の植栽ブロックは連通される高さ関係に従って、すなわち、上側の植栽ブロックは十分な貯水量を保持しつつ、オーバーフロー水を下側の植栽ブロックの貯水空洞へ分配することができる。
【００２０】
本発明の植栽ブロックは、植栽ブロック壁を構成する植栽ブロックであって、内部が貯水空洞とされたブロック本体と、前記ブロック本体に形成された少なくとも１つの植栽部と、前記ブロック本体の貯水空洞から前記ブロック本体の植栽部へ水を供給する供給部と、を含み、前記ブロック本体には、それが有する貯水空洞と、それに隣接する他の植栽ブロックの貯水空洞とを連通させるための開口部が形成されたことを特徴とする。
【００２１】
この開口部は、貯水空洞内の貯水を外部へ流出可能なものであればよく、水が流通可能であればどのような形態を有しても良い。
【００２２】
【発明の実施の形態】
以下、本発明の好適な実施の形態（以下、実施形態という）について、図面を参照し説明する。
【００２３】
図１は、実施形態の植栽ブロック１０の斜視図である。植栽ブロック１０は、複数の植栽ブロックが段積み又は横置きされて植栽ブロック壁が構成される。この植栽ブロック壁は、道路の擁壁や護岸壁などに利用されている。
【００２４】
図１に示すように、植栽ブロック１０は、大別して、ブロック本体１２と植栽部としての植栽ステージ群１４とで構成される。ブロック本体１２は、前面壁１６と、後面壁１８と、それらの両者を連結する垂直に起立した一対の仕切壁２０，２２と、底面壁２４と、で構成されている。ここで、図１において、各壁の厚みは例えば５０ｍｍであり、横幅Ｗは例えば１５００ｍｍであり、奥行き幅Ｄは例えば３９０ｍｍであり、高さＨは例えば６５０ｍｍである。この植栽ブロック１０は、例えばコンクリートで構成される。なお、前面壁１６及び後面壁１８は底面壁２４に対してやや傾斜しており、その傾斜角度は例えば６３度である。すなわち、植栽ブロック１０の側方を見ると、植栽ブロック１０は平行四辺形の形態を有している。もちろん、図１に示される形態は一例であって、後述するように、内部に蓄えられた雨水などを植栽植物に供給できる限りにおいて、各種の形態を採用することができる。
【００２５】
本実施形態においては、前面壁１６、後面壁１８及び一対の仕切壁２０，２２によって囲まれる空間が貯水空洞１００として構成されている。すなわち、その貯水空洞１００には外部から雨水や地下水が取り入れられ、貯水空洞１００に水が蓄えられる。
【００２６】
一方、ブロック本体１２の仕切壁２０の側方には端部空間１０２が形成され、仕切壁２２の側方には端部空間１０４が形成される。本実施形態においては、後述するように、この端部空間１０２，１０４内に各植栽ブロック１０の貯水空洞１００間を連通させる水路が形成される。
【００２７】
前面壁１６の下部には、貯水空洞１００から植栽ステージに水を供給する一対の供給部２６が形成されている。貯水空洞１００の水は、供給部２６を介して徐々に水を前面側に滲み出させることができる。ここで、供給部２６は、例えば煉瓦などのセラミックすなわち多孔質部材で構成されており、その空孔率を適宜調整することにより供給量を調整することができる。また、前面壁１６総てをセラミックなどの多孔質部材からなる供給部２６として機能さても良い。なお、徐々に水を滲み出すことができる限りにおいて他の部材を用いることもできる。植栽ブロック１０の製造に当たっては、それが設置される環境や植栽植物などに応じて供給部２６の採水作用を適宜調整するようにすればよい。
【００２８】
後面壁１８の上部には、外部から貯水空洞１００へ水を取り込むための取水部として取水口２８が形成されている。この取水口２８は植栽ブロック１０の裏面側から地下水を貯水空洞１００に取り入れるための開口である。その開口面には必要に応じてスリット３０が形成される。これは土砂などが貯水空洞１００に入るのを防止するためである。スリット３０は、金属平板などで構成するのが望ましい。
【００２９】
ブロック本体の前面側に形成された植栽ステージ群１４は、図１に示すように複数の植栽ステージ３２〜３８で構成されている。各植栽ステージ３２〜３８は、互いに同一の形態を有しているが、もちろんそれぞれの形態を異ならせてもよい。また、図１においては左右方向に伸長したステージとなっているが、もちろん、いわゆるポット状に植栽部を構成することもできる。
【００３０】
図１に示す実施形態では、各植栽ステージ３２〜３８の両端部にステージ排水部４０が設けられている。具体的にはステージ底面壁３８Ａの両端に多孔質部材からなるステージ排水部４０が設けられ、そのステージ排水部４０は上述した供給部２６と同様に、水が滲み出す作用を有している。これによって、上段から下段にかけて順次水を流すことができる。ちなみに、各ステージにおいて、その両端にステージ排水部４０を設けることなく、所定箇所あるいは一方端にのみステージ排水部４０を形成してもよい。また、ステージ排水部４０を多孔質部材で構成するのではなく、後述するように単に開口としてもよい。この場合においては、植栽ステージに入れられる土などが下段に落ちないように仕切りなどの部材を設けるのが望ましい。
【００３１】
各植栽ステージは、底面板３８Ａと、端部板３８Ｂ，３８Ｃと、前面板３８Ｄとで構成されている。これらはブロック本体１２と共に一体成形されているが、もちろんブロック本体１２と別体に構成されていてもよい。
【００３２】
このように構成された植栽ブロック１０は、取水口２８から地下水等が取り入れられ、貯水空洞１００に水が貯留される。貯水空洞１００に蓄えられた水は供給部２６から植栽ステージ３８が設けられた前面側に滲み出され、植栽ステージに水が供給され、植栽ステージのステージ排水部４０を介して上段の植栽ステージから下段の植栽ステージへ水を供給することができる。
【００３３】
本実施形態においては、複数の植栽ブロック１０が配置されて植栽ブロック壁を形成した場合に、上下及び左右に隣接する植栽ブロック１０間において両者の貯水空洞１００同士を連通させる水路が形成されている。
【００３４】
以下、これについて詳細に説明する。
【００３５】
図１に示すように、本実施形態においては、水路として、左右方向に隣接する植栽ブロック１０間にそれら貯水空洞１００同士を連通させる横水路と、上下方向に隣接する植栽ブロック１０間にそれらの貯水空洞１００同士を連通させる縦水路と、が形成されている。これにより、各植栽ブロック１０の貯水空洞１００内の貯水を隣接する他の植栽ブロック１０の貯水空洞へ分配することができる。
【００３６】
本実施形態において、横水路は、例えば横パイプ４２で構成され、縦水路は、例えば縦パイプ４４で構成されている。横パイプ４２、縦パイプ４４は例えば直径５０ｍｍのパイプを用いることができる。なお、横パイプ４２、縦パイプ４４に用いられるパイプは、１つの部材で構成しても良いし、２つ以上の部材を連結させて用いても良い。
【００３７】
図２は、植栽ブロック壁１１を正面から見た断面図である。
【００３８】
図２に示すように、本実施形態においては、仕切壁２０，２２、底面壁２４の所望の位置に開口部４６〜５２が形成され、横パイプ４２，縦パイプ４４の端部がそれぞれ挿嵌され、横水路、縦水路が形成される。この開口部４６〜５２は、例えば植栽ブロック１０の製造時において、空けておくこともできるし、所望の位置の壁の肉厚を他の部分より薄くしておき、その後薄い部分を打ち抜くことで開口部を形成することもできる。また、植栽ブロック壁１１の現場での施工時に、所望の位置に穿孔することもできる。
【００３９】
横パイプ４２の一方の端部４２Ａは仕切壁２０の下部に形成された開口部４６に挿嵌され、他方の端部４２Ｂは左右方向に隣接する植栽ブロック１０の仕切壁２２の開口部４８に挿嵌される。この横パイプ４２は、水平状態を維持して配設されている。これにより、左右方向に隣接する植栽ブロック１０間において貯水空洞１００を連通させて、隣接する植栽ブロック１０間の貯水空洞１００の水の流れを相互に許容することができる。この結果、植栽ブロック１０の貯水空洞１００の貯水を水平方向に隣接する植栽ブロック１０の貯水空洞１００へ分配することができる。
【００４０】
縦パイプ４４は、図１に示すように、逆倒立のＬ字型をしている。縦パイプ４４の一方の端部４４Ａは、仕切壁２０の上部に形成された開口部５０に挿嵌され、他方の端部４４Ｂは、底面壁２４に形成された開口部５２に挿嵌される。底面壁２４は、図２に示すように、下側の植栽ブロック１０の天板を形成する。従って、仕切壁２０及び底面壁２４に開口部５０，５２を形成し、これらを縦パイプ４４で連結することにより、上側の植栽ブロック１０の貯水空洞１００の上部と下側の植栽ブロック１０の貯水空洞１００とを連通させることができる。これにより、上側の植栽ブロック１０の貯水空洞１００の貯水を下側の植栽ブロック１０の貯水空洞１００へ分配することができる。この結果、上側の植栽ブロックの１０の貯水空洞１００から下側の植栽ブロック１０の貯水空洞１００に水を補充することができる。
【００４１】
縦パイプ４４の仕切壁２０の上部の開口部５０は所望の位置に設けることができる。この開口部５０を形成する位置を調整することによって、貯水空洞１００の水位を調整することができる。図２に示すように、本実施形態においては、取水口２８の底面２８ａと縦パイプの底面４４ｃ間の高さｈが２〜３ｍｍ有するように開口部５０が形成されている。このように、開口部５０を貯水空洞１００の底面から比較的に高い位置に形成することにより、貯水空洞１００に十分な貯水を行うことができる。
【００４２】
図２に示すように、植栽ブロック壁１１は、隣接する植栽ブロック１０の端部空間１０２及び１０４が連結し、これによって連結空間が構成され、横パイプ４２は、この連結空間に形成され、縦パイプ４４は、端部空間１０２、１０４のいずれかに形成される。上側と下側の植栽ブロック１０の連結は、例えば上側の植栽ブロックの底面壁２４と、仕切壁２０，２２の上部をボルトで連結して強固に締結することができる。
【００４３】
植栽ブロック１０の端部空間１０２及び１０４が連結された連結空間には、例えばコンクリート材からなる胴込め材１０６が充填される。この胴込め材１０６は、例えば、植栽ブロック壁１１の自重を増加するために入れられるが、端部空間１０２，１０４に横パイプ４２，縦パイプ４４の水路が形成された場合には、開口部４６〜５２と横パイプ４２，縦パイプ４４の端部との隙間をシールするという利点を得ることができる。従って、水路形成のために特別な密閉構造を構築する必要がない。
【００４４】
さらに、本実施形態においては、横パイプ４２は、左右方向に隣接する植栽ブロック１０の貯水空洞１００同士を総て連通させ、縦パイプ４４は、図２の中段、下段に示すように、水平方向に連接される植栽ブロック１０の段毎に少なくとも１つ以上設けられる。この結果、本実施形態においては、植栽ブロック壁１１を構成する植栽ブロック１０の貯水空洞１００の貯水を均等化することができる。なお、例えば縦パイプ４４は、ある縦パイプが何らかの原因により機能しなくなった場合を考慮して、図２下段に示すように、２つ又はそれ以上の縦パイプを設けてもよい。
【００４５】
また、本実施形態においては、植栽ブロック壁１１全体で貯水空洞１００の貯水が均等化されるので、植栽ブロック１０の貯水空洞１００に水を取り入れるための取水口２８は、一部の植栽ブロック１０のみに設けても良い。
【００４６】
なお、図２に示すように、植栽ブロック壁１１を構成する植栽ブロック１０の貯水空洞１００の貯水が均等化する様に横パイプ４２、縦パイプ４４を形成しなくても、例えば植栽ブロック壁１１中で貯水効率が悪い植栽ブロック１０のみを隣接する他の植栽ブロック１０の貯水空洞１００と連通させても良い。
【００４７】
なお、図１の破線で示すように、前面壁１６の上部には、水抜口５８を設けても良い。この水抜口５８は、貯水空洞１００が満水になった場合に、そこから水を外部へ流出させ、また、最上段の植栽ステージ３２に蓄えられた雨水を貯水空洞１００に取り込むための開口として機能する。その水抜口５８には土砂流入防止のためにスリット６０等が形成される。
【００４８】
例えば、植栽ブロック壁１１の最下段の植栽ブロック１０に、縦パイプ４４を設けずに、この水抜口５８を設けて最下段の植栽ブロック１０の貯水空洞１００の貯水量を調整することができる。
【００４９】
図３は、植栽ブロック壁１１を側面から見た断面図である。地山１０８の法面とブロック壁との間には砕石などの裏込め材１１０が充填される。その場合に、各植栽ブロック１０の取水口２８に対応して防水マット５４がほぼ水平状に設けられ、その防水マット５４によって地下水を取水口２８に導くことができる。取水口２８はスリット３０が設けられているが、そのスリット３０にはさらにフィルタマット５６が設けられ、このフィルタマット５６によって裏込め材１１０が取水口２８に進入することが阻止されている。
【００５０】
図３に示すように、取水口２８から貯水空洞１００へ地下水等が取り入れられると共に、植栽ブロック壁１１に形成された横パイプ４２、縦パイプ４４によって各植栽ブロック１０の貯水空洞１００の貯水を均等化される。また、図６から上側の植栽ブロック１０から流出した水は各植栽ステージを伝わって徐々に下側の植栽ステージへ導かれることになり、これによって植栽ブロック壁１１の植栽ステージ全体に水を行き渡らせることができる。
【００５１】
本実施形態において、植栽ブロックを締結してブロック壁を形成する方法は、先に示した特許第３１１５５６０号に開示された方法を採用することができる。
【００５２】
【発明の効果】
以上説明したように、本発明によれば、植栽ブロック壁は、上下及び左右の少なくとも一方の方向に隣接する植栽ブロック間においてそれらの貯水空洞同士を連通させる水路を形成したので、植栽ブロックの貯水空洞の貯水を分配することができる。
【図面の簡単な説明】
【図１】  実施形態の植栽ブロックの斜視図である。
【図２】  植栽ブロック壁を正面から見た断面図である。
【図３】  植栽ブロック壁を側面から見た断面図である。
【符号の説明】
１０  植栽ブロック、１１  植栽ブロック壁、１２  ブロック本体、１４  植栽ステージ群、１６  前面壁、１８  後面壁、２０，２２  仕切壁、２４  底面壁、２６  供給部、２８  取水口、３０  スリット、３２〜３８  植栽ステージ、４０  ステージ排水部、４２  横パイプ、４４  縦パイプ、４６〜５２  開口部、１００  貯水空洞、１０２，１０４  端部空間。
【図１】
0003759466.tif 000002
【図２】
0003759466.tif 000003
【図３】
0003759466.tif 000004